(57)【要約】【課題】  防水性能の低下を少なくすることができる換気棟を提供する。【解決手段】  屋根１の棟部分に設けた屋根開口部２の上方に排気口３を有する換気棟部材４を設ける。換気棟部材４の下側を屋根開口部２から排気口３にまで通じる換気通路５として形成した換気棟に関する。樹脂で形成されるダンパー部材６を換気通路５の途中に立ち上げて設ける。排気口３から換気通路５に所定以上の強風で吹き込む場合に上方に回動して換気通路５を遮断する状態となる可動部７をダンパー部材６に形成する。ダンパー部材６を樹脂で形成しているために、サビが発生することがない。可動部７の回動に際して摺動する部分がない。さらに、ダンパー部材６の弾性力に抗して可動部７を回動させるために、可動部７を吊下げ保持する場合のように防水の必要ない通常の風では可動部７を回動させないようにすることができる。【選択図】  図１
2006194066.tif 000002
【特許請求の範囲】
【請求項１】
屋根の棟部分に設けた屋根開口部の上方に排気口を有する換気棟部材を設け、換気棟部材の下側を屋根開口部から排気口にまで通じる換気通路として形成した換気棟において、樹脂で形成されるダンパー部材を換気通路の途中に立ち上げて設け、排気口から換気通路に所定以上の強風で吹き込む場合に上方に回動して換気通路を遮断する状態となる可動部をダンパー部材に形成して成ることを特徴とする換気棟。
【請求項２】
可動部を所定以上の強風で吹き込まない場合に屋根面に対して略平行となるように配置して成ることを特徴とする請求項１に記載の換気棟。
【請求項３】
屋根面に対して略平行に配置した可動部が排気口の上縁部よりも上側に位置して成ることを特徴とする請求項２に記載の換気棟。
【請求項４】
ダンパー部材の可動部を排気口側に向かって倒れるように回動自在に形成して成ることを特徴とする請求項１乃至３のいずれかに記載の換気棟。
【請求項５】
排気口からの雨水の浸入を防止するための邪魔板を備えた固定部材で挟持してダンパー部材を固定して成ることを特徴する請求項１乃至４のいずれかに記載の換気棟。
【請求項６】
下方に回動したダンパー部材の可動部を邪魔板により支持して成ることを特徴とする請求項５に記載の換気棟。
【請求項７】
ダンパー部材に薄肉部を形成し、薄肉部よりも先端側を可動部として形成して成ることを特徴とする請求項１乃至６のいずれかに記載の換気棟。
【請求項８】
ダンパー部材にクリップ状の取付部を形成し、換気棟部材を固定するための固定部材に取付部を嵌め込んでダンパー部材を固定部材に固定して成ることを特徴とする請求項１乃至４のいずれかに記載の換気棟。
【請求項９】
取付部を可動部よりも硬質に形成して成ることを特徴とする請求項８に記載の換気棟。
【請求項１０】
取付部を係止するための係止部を固定部材の邪魔板に設けて成ることを特徴とする請求項８又は９に記載の換気棟。
【請求項１１】
ダンパー部材よりも屋根開口部側において、換気通路にパーテーション部を設けて成ることを特徴とする請求項１乃至１０のいずれかに記載の換気棟。
【発明の詳細な説明】
【技術分野】
【０００１】
本発明は、住宅等の屋根に形成される換気棟に関するものである。
【背景技術】
【０００２】
従来より、小屋裏内の湿度を下げて、住宅の耐久性を向上すると共に屋内の熱気や汚れた空気等を排気して換気することを目的として屋根に換気棟を設けることが行なわれている。この換気棟は、屋根の棟部分に屋内空間に通じる屋根開口部を形成すると共にこの屋根開口部の上方を覆うようにして換気棟部材を設けて形成されるものであり、換気棟部材の側面に排気口が形成されている。そして、換気棟部材の下側空間が屋根開口部と排気口とを連通させる排気通路として形成されることによって、屋内の換気が行なわれるものである。
【０００３】
このような換気棟においては換気棟部材の側面に排気口が形成されているために、暴風雨などの時に排気口から屋内に雨水が進入しないように防水対策を施す必要がある。このような防水対策としては、例えば、排気経路を迷路のように複雑な構造（ラビリンス構造）にして雨水の進入を防止するものがあるが（例えば、特許文献１参照）、換気の際の空気の流れに対する抵抗が大きくなって充分な換気が行えなくなり、また、換気棟部材の成形が複雑になって価格が高くなるという問題があった。また、横からの強風に対して強い防水対策として、換気棟部材の上面に排気口を設けたものもあるが、積雪地では雪により排気口が閉塞されたり、埃やゴミが排気口から排気経路に進入して堆積したりして換気が行えなくなるという問題があった。
【０００４】
そこで、排気口から流入する風により可動して排気経路の片側開口を閉塞することにより換気効率を上げるための可動部材を利用して、その付帯的な効果として風に伴って排気経路に進入する雨水を屋内にまで到達させないようにしたものがある（例えば、特許文献２参照）。図６には、上記のような可動部材を備えた屋根１の換気棟の一例を示すものであり、可動部材３１の上端を軸部３７として換気棟部材３０の下面に枢着することによって、可動部材３１を吊下げて排気経路３２の途中に設けたものである。そして、換気棟部材３０と屋根材３４との間に形成された排気口３３から排気経路３２に風が流入することにより、その風圧で可動部材３１が上動し、風が流入しない場合は自重により可動部材３１が下動するように、可動部材３１がその上端を中心として上下回動自在に形成されている。従って、風が排気口３３から排気経路３２に流入しない場合は可動部材３１が鉛直に垂れ下がった状態となり、排気口３３と屋根開口部３５とが排気経路３２を通じて連通状態となって換気を行うことができるものであり、風が排気口３３から排気経路３２に流入した場合は可動部材３１が上方に回動して邪魔板３６に当たった状態となり、排気経路３２が途中で閉塞されて排気口３３と屋根開口部３５とが不通状態となって雨水の進入を防止することができるものである。
【特許文献１】特開２０００−１７９１１５号公報
【特許文献２】特開２００１−９０２８８号公報
【発明の開示】
【発明が解決しようとする課題】
【０００５】
しかし、図６に示す従来例では、可動部材３１を換気棟部材３０に枢着しているために、可動部材３１の上端の軸部３７が換気棟部材３０に対して摺動することになり、経年により軸部３７にサビが生じたりゴミが溜まったりして可動部材３１が可動しにくくなる場合があった。また、上記従来例では防水上必要がない微風に対しても可動部材３１が可動するために軸部３７の摩耗が激しく、これによっても可動部材３１が可動しにくくなる場合があった。さらに、邪魔板３６で跳ね返された風が可動部材３１に当たって邪魔板３６の反対側に向かって回動することがあり、排水経路３２を閉塞することができないこともあった。そして、上記のいずれの場合でも暴風雨の時に、排気口３３から排水経路３２に進入した雨水が屋根開口部３５を通じて屋内に達する場合があり、防水性能が低くなるという問題があった。
【０００６】
本発明は上記の点に鑑みてなされたものであり、防水性能の低下を少なくすることができる換気棟を提供することを目的とするものである。
【課題を解決するための手段】
【０００７】
本発明の換気棟は、屋根１の棟部分に設けた屋根開口部２の上方に排気口３を有する換気棟部材４を設け、換気棟部材４の下側を屋根開口部２から排気口３にまで通じる換気通路５として形成した換気棟において、樹脂で形成されるダンパー部材６を換気通路５の途中に立ち上げて設け、排気口３から換気通路５に所定以上の強風で吹き込む場合に上方に回動して換気通路５を遮断する状態となる可動部７をダンパー部材６に形成して成ることを特徴とするものである。
【０００８】
本発明にあっては、可動部７を所定以上の強風で吹き込まない場合に屋根面に対して略平行となるように配置することができる。
【０００９】
屋根面に対して略平行に配置した可動部７が排気口３の上縁部よりも上側に位置することが好ましい。
【００１０】
また、本発明にあっては、ダンパー部材６の可動部７を排気口３側に向かって倒れるように回動自在に形成することが好ましい。
【００１１】
また、本発明にあっては、排気口３からの雨水の浸入を防止するための邪魔板９を備えた固定部材１０に挟持してダンパー部材６を固定することができる。
【００１２】
また、本発明にあっては、下方に回動したダンパー部材６の可動部７を邪魔板９により支持するのが好ましい。
【００１３】
本発明にあっては、ダンパー部材６に薄肉部８を形成し、薄肉部８よりも先端側を可動部７として形成することができる。
【００１４】
また、本発明にあっては、ダンパー部材６にクリップ状の取付部６０を形成し、換気棟部材４を固定するための固定部材１０に取付部６０を嵌め込んでダンパー部材６を固定部材１０に固定することができる。
【００１５】
また、本発明にあっては、取付部６０を可動部７よりも硬質に形成することができる。
【００１６】
また、本発明にあっては、取付部６０を係止するための係止部６１を固定部材１０の邪魔板９に設けることができる。
【００１７】
また、本発明にあっては、ダンパー部材６よりも屋根開口部２側において、換気通路５にパーテーション部１１を設けることができる。
【発明の効果】
【００１８】
本発明にあっては、ダンパー部材６を樹脂で形成しているために、サビが発生することがなく、また、ダンパー部材６の一部を可動部７として形成しているために、ダンパー部材６の弾性変形により可動部７を回動させることができ、可動部７の回動に際して摺動する部分がなく、さらに、ダンパー部材６の弾性力に抗して可動部７を回動させるために、可動部７を吊下げ保持する場合のように防水の必要ない通常の風（所定未満の風）では可動部７を回動させないようにすることができ、ダンパー部材６の経年による劣化を少なくすることができるものであり、従って、可動部７の動作不良による防水性能の低下を少なくすることができるものである。また、ダンパー部材６を樹脂（特にゴムの場合）で形成しているために、可動部７が上方に回動して換気通路５を遮断する状態となった時に可動部７を換気棟部材４の下面に密着させて水密性を高くすることができるものである。
【００１９】
また、可動部７を所定以上の強風で吹き込まない場合に屋根面に対して略平行となるように配置することにより、限られた換気棟部材４の寸法の中でできるだけ大きな排気口３の開口面積を確保することができ、換気性能を損なわないようにすることができるものである。
【００２０】
また、本発明にあっては、屋根面に対して略平行に配置した可動部７が排気口３の上縁部よりも上側に位置するので、排気口３から吹き込む強風が可動部７の下面に当たりやすくなって、可動部７を確実に上方へ回動させることができるものである。
【００２１】
また、本発明にあっては、可動部７が排気口３側に向かって倒れるように回動するため、排気口３から強風が吹き込まない通常の状態の時には、可動部７が強風を確実に受けられるような状態、すなわち、可動部７が屋根面に対して略平行となる状態に保持しやすくなるものであり、これにより、排気口３から強風が吹き込んだ場合の可動部７の回動不良を防止することができるものである。
【００２２】
また、本発明にあっては、雨水の浸入を防止するための邪魔板９を備えた固定部材１０を利用してダンパー部材６を固定することができ、ダンパー部材６を固定するための部材が別途必要でなく、部品数の増加を抑えて高コスト化を防止することができるものである。
【００２３】
また、本発明にあっては、下方に回動した可動部７を邪魔板９で支持することで、可動部７の劣化を少なくすることができると共に強風を受けやすい状態に可動部７を保持しやすくなって、可動部７の動作不良を防止することができるものである。
【００２４】
また、本発明にあっては、薄肉部８の部分でダンパー部材６を弾性変形させやすくすることができ、可動部７の回動不良を少なくすることができるものである。
【００２５】
また、本発明は、換気棟部材４を固定するための固定部材１０にクリップ状の取付部６０を嵌め込んでダンパー部材６を固定部材１０に固定することで、ダンパー部材６の取り付けを簡単に行うことができるものである。
【００２６】
また、本発明は、取付部６０を可動部７よりも硬質に形成することで、ダンパー部材６の形状を硬質の取付部６０によって保持することができ、ダンパー部材６の取り付け作業性を高くすることができるものである。
【００２７】
また、本発明は、取付部６０を係止するための係止部６１を固定部材１０の邪魔板９に設けることで、取付部６０を係止部６１に係止してダンパー部材６を固定部材１０に取り付けることができ、ダンパー部材６の取り付けを簡単に行うことができるものである。
【００２８】
また、本発明では、換気通路５にパーテーション部１１を設けることで、排気口３から屋根開口部２に至る換気通路５を長くすることができ、防水性能を向上させることができるものである。
【発明を実施するための最良の形態】
【００２９】
以下、本発明を実施するための最良の形態を説明する。
【００３０】
本発明の換気棟は、屋根１の棟部分に換気棟部材４やダンパー部材６などを設けて形成することができる。
【００３１】
換気棟部材４は、塗装鋼板や亜鉛めっき鋼板などの金属板を折曲げ加工などして長尺に形成されるものであって、山形状（断面く字状）に連続する一対の傾斜部１５と、各傾斜部１５の側端部（互いに連続していない方の端部）の全長に亘って下方に向けて突設された起立部１６と、各起立部１６の下端の全長に亘って連設された差込み部１７とを備えて形成されている。換気棟部材４には両方の傾斜部１５の下面に跨るようにして断熱材１８が設けられている。この断熱材としてはポリエチレンフォームなどの樹脂発泡体を用いることができる。また、起立部１６は各傾斜部１５に対して略垂直で突設されており、起立部１６を厚み方向で貫通するようにして排気口３が形成されている。排気口３は起立部１６の略全長に亘って連続する一の開口であってもよいし、不連続の複数の排気口３を起立部１６の長手方向に並べて形成しても良い。差込み部１７は折り返し屈曲されて断面略Ｕ字状に形成されている。
【００３２】
ダンパー部材６は弾性を有する樹脂材料（ゴムを含む）の成形品で形成されるものであって、樹脂材料としては、例えば、エチレン・プロピレンゴム（ＥＰＤＭ）などの合成ゴム、天然ゴム、ポリプロピレン（ＰＰ）などのポリオレフィン系樹脂、ポリウレタン、ポリスチレン、塩化ビニル樹脂などを例示することができる。ダンパー部材６は挿入部１９と立ち上げ部２０と可動部（フラップ）７とを有して断面略コ字状に形成されるものであって、立ち上げ部２０の上端と可動部７の基部側端部とは薄肉部８により連結されている。薄肉部８はダンパー部材６の他の部分よりも厚みが薄い部分であり、立ち上げ片２０の上端と可動部７の基部側端部の境界部分の下面に窪みを設けることにより形成することができる。そして、可動部７はこの薄肉部８がヒンジとなることによって、立ち上げ片２０から上側に突出する状態と挿入部１９と略平行になる状態との間で上下回動自在に形成されている。ダンパー部材６は立ち上げ部２０あるいは排気口３の長手方向（棟部分の長手方向と平行な方向）の寸法と略同じ長さに形成することができるが、ダンパー部材６は排気口３に対応する位置に設ければよいので、複数の排気口３が不連続に形成されている場合は、排気口３と同等の長さの複数個のダンパー部材６を用いることができる。
【００３３】
上記換気棟部材４及びダンパー部材６は固定部材１０により屋根１の棟部分に取り付けて固定することができる。固定部材１０は換気棟部材４と同様の金属板（板金）を折曲げ加工などして長尺に形成されるものであって、平板状の下固定片２１と、下固定片２１の一方の端部（棟側端部）に固定片２１に対して略垂直上方に突設された立設片２２と、立設片２２の上端に立設片２２に対して略垂直で軒側に突設された上固定片２３と、下固定片２１の他方の端部（軒側端部）に折り返し屈曲により形成された挟持片２４と、挟持片２４の棟側端部に挟持片２４に対して略垂直に突設された邪魔板９とを備えて形成されている。邪魔板９の上部は軒方向に向かって略直角に屈曲形成した支持部９ａとして形成されている。また、立設片２２には通気孔２５が形成されている。通気孔２５は立設片２２の略全長に亘って連続する一の開口であってもよいし、不連続の複数の通気孔２５を立設片２５の長手方向に並べて形成しても良い。また、上固定片２３にはパーテーション部１１が設けられている。パーテーション部１１は上固定片２３に対して略垂直下方に突設されるものであり、上記通気孔２５と邪魔板９との間で通気孔２５に対向するように形成されている。パーテーション部１１は固定部材１０の長手方向（棟部分の長手方向と平行な方向）の寸法と略同じ長さに形成することができるが、パーテーション部１１は通気孔２５に対応する位置に設けらればよいので、複数の通気孔２５が不連続に形成されている場合は、通気孔２５と同等の長さの複数個のパーテーション部１１を形成するようにしてもよい。また、パーテーション部１１の下端と下固定片２１との間には通気可能な間隙２６が形成されている。さらに、固定部材１０の長手方向の両端には側壁２７が設けられている。側壁２７は固定部材１０の長手方向の両端を閉塞するためのものであり、固定部材１０を換気棟部材４と結合した際に側壁２７の先端（軒側端部）は起立部１６に達するものである。また、側壁２７の邪魔板９の直ぐ棟側には水抜き孔５４が形成されており、ダンパー部材６よりも棟側の換気経路５にまで水が進入しても水抜き孔５４から排水することができるものである。また、下固定片２１の下面には弾性体２８が設けられている。
【００３４】
また、本発明では補強金具４０を用いることができる。補強金具４０は平板状の金具固定片４１と金具固定片４１の一方の端部（軒側端部）に上方に向かって略直角に屈曲形成した補強片４２と、補強片４２の上端から軒側に向かって略直角に突設される上当接片４３と、上当接片４３の軒側端部から下方に向かって略直角に突設される前当接片４４とから構成されている。
【００３５】
そして、本発明の換気棟を形成するにあたっては、次のようにして行なう。まず、固定部材１０の下固定片２１と挟持片２４との間にダンパー部材６の挿入部１９を差し込むことによって、固定部材１０にダンパー部材６を取り付ける。この時、ダンパー部材６の立ち上げ部２０は邪魔板９の棟側面に沿って配置されると共にダンパー部材６の可動部７の基部は邪魔板９の支持部９ａの上面に当接して配置されるものであり、これにより、ダンパー部材６の薄肉部８は邪魔板９の折曲げ部分（支持部９ａの基端部）に位置するものである。
【００３６】
上記のようにダンパー部材６を取り付けた後、固定部材１０に補強金具４０を取り付ける。補強金具４０の取り付けは、金具固定片４１をダンパー部材６の立ち上げ片２０と固定部材１０の立設片２２との間において下固定片２１の上面に配置し、下固定片２１と金具固定片４１とをリベット等の固定具４６で固定する。
【００３７】
次に、ダンパー部材６と補強金具４０を取り付けた状態の固定部材１０の挟持片２４と下固定片２１とを換気棟部材４の差込み部１７の内側空間に差し込む。ここで、挟持片２４と下固定片２１は補強金具４０の前当接片４４が起立部１６の棟側面に当接するまで差し込まれるものであり、これにより、ダンパー部材６の可動部７の先端（軒側端部）は起立部１６と間隔を介して配置される。また、固定部材１０の上固定片２３と補強金具４０の上当接片４３とを傾斜部１５の下面に当接し、上固定片２３と傾斜部１５とをリベット等の固定具４６で固定する。
【００３８】
このようにして両方の傾斜部１５の両端部（両方の軒側端部）に固定部材１０、ダンパー部材６、補強金具４０を取り付けた後の換気棟部材４を屋根１の棟部分に配置する。屋根１は、棟木５０と、棟木５０の上に棟側端部が載置された複数本の母屋５１と、母屋５１の上に設けられる野地板５２と、野地板５２の上に葺かれた屋根材５３とを備えて構成されており、母屋５１、野地板５２、屋根材５３は棟木５０から軒側に向かって下り傾斜するように配置されている。また、棟木５０を挟んで両側に位置する母屋５１、５１の間と野地板５２、５２の間と屋根材５３、５３の間には間隙が設けられており、この間隙が屋根１の棟部分の略全長に亘って開口する屋根開口部２として形成されている。そして、固定部材１０、ダンパー部材６、補強金具４０を取り付けた換気棟部材４はその頂部（一対の傾斜部１５の境界部分）が屋根開口部２の真上に位置するようにして配置される。従って、換気棟部材４は屋根開口部２の上方を覆うようにして棟木５０の両側の屋根材５３、５３に跨るように配置され、換気棟部材４に設けた固定部材１０を屋根材５３に固定することによって、換気棟部材４を屋根１の棟部分の全長に亘って取り付けることができる。この時、弾性体２８は下固定片２１と屋根材５３との間に圧縮された状態で介在される。そして、換気棟部材４の下側の空間、すなわち、傾斜部１５と屋根材５３の間の空間が換気経路５として形成される。この換気経路５の途中にはパーテーション部１１や立設片２２が設けられているが、通気孔２５及び間隙２６が形成されているために、屋根開口部２と排気口３は換気経路５を通じて通気可能に形成されている。
【００３９】
次に、図１に基づいて本発明の換気棟の作用について説明するが、図１（ａ）（ｂ）の向って右側部分におけるダンパー部材６の動作を中心に説明する。本発明の換気棟では、暴風雨などの所定以上の強風（１５ｍ／ｓ以上の強風）の時にダンパー部材６で換気経路５を閉塞することができる。すなわち、図１（ａ）及び図３（ａ）に示すように、強風時以外では、ダンパー部材６の可動部７は、その下面に支持部９ａが当接して邪魔板９で支持されており、支持部９ａよりも下方に回動しないように、屋根面（屋根材５３の上面）に対して略平行に、すなわち、屋根１の傾斜と略平行な状態に保持されて配置されているが、強風時には排気口３から換気経路５に吹き込む強風（図１（ｂ）及び図３（ｂ）に矢印で示す）の風圧により、可動部７が下側から押圧されることになり、この押圧により可動部７が薄肉部８を中心として上方に回動する。この時、薄肉部８は可動部７の回動方向に若干引き延ばされて弾性変形するものである。そして、図１（ｂ）及び図３（ｂ）に示すように、上方に回動した可動部７の先端が傾斜部１５の下面に当接することによって、換気経路５が閉塞されるものである。従って、強風と共に排気口３から換気経路５に雨水が進入しても可動部７よりも屋根開口部２側に達するのを防止して屋内への進入を防止することができ、排気口３の近傍で雨水の進入を止めて排気口３から排出することができるものである。
【００４０】
一方、強風がおさまって所定未満（１５ｍ／ｓ未満）になると、弾性変形された薄肉部８の復元力により可動部７が支持部９ａに当接するまで下方に回動するものであり、これにより、図１（ａ）及び図３（ａ）の状態、すなわち、可動部７が邪魔板９の支持部９ａで支持されて、屋根面（屋根材５３の上面）に対して略平行で屋根１の傾斜と略平行な状態に保持された状態に戻って、換気経路５が開放されて連通状態となり、換気することができるものである。
【００４１】
そして、本発明では、薄肉部８の弾性変形により可動部７を回動させることができ、可動部７の回動に際して摺動する部分がなく、摺動する部分の摩擦や固着による可動部７の動作不良がなくなり、また、構造を簡素化することができるものである。しかも、薄肉部８の弾性力に抗して可動部７を回動させるために、可動部７を吊下げ保持する場合のように防水の必要ない通常の風では可動部７を回動させないようにすることができ、過剰動作によるダンパー部材６の経年劣化を少なくすることができる。また、可動部７が通常の状態（強風でない場合）では邪魔板９の支持部９ａで支持されているために、クリープ等による塑性変形が発生しにくくなり、ダンパー部材６の経年による劣化を少なくすることができる。
【００４２】
また、ダンパー部材６の排気口３側の面に窪みを設けて薄肉部８を形成しているために、可動部７を排気口３側に向かって倒れるように回動させることができると共に薄肉部８により可動部７を排気口３と反対側に回動させにくくすることができ、可動部７の回動不良を防止することができるものである。しかも、邪魔板９及び支持部９ａにより排気口３から吹き込んだ風が可動部７の下面に当たるようにガイド（案内）することができ、可動部７を確実に上方へ回動させやすくなるものである。さらに、本発明では、ダンパー部材６の可動部７の高さ寸法（挟持片２４から可動部７の下面までの寸法）Ｈ１が排気口３の高さ寸法（挟持片２４から排気口３の上縁部までの寸法）Ｈ２よりも大きくなるように（Ｈ１≧Ｈ２）形成されており、これにより、排気口３から吹き込む強風が可動部７の下面に当たりやすくなって、可動部７を確実に上方へ回動させることができるものである。さらに、樹脂で形成されるダンパー部材６は換気棟部材４で覆われているために、紫外線が直接当たらないようにすることができ、ダンパー部材６の紫外線による劣化を少なくすることができるものである。
【００４３】
また、換気経路５の途中に設けたパーテーション部１１により換気経路５が蛇行して長くなるものであり、万が一、可動部７の動作不良が生じてもある程度の防水性能は確保することができるものである。
【００４４】
図４に本発明の他の実施の形態を示す。この換気棟は図１、２に示す実施の形態と対比してダンパー部材６が異なる点、邪魔板９の形状が異なる点、捨て水切り部材６２を設けた点以外は上記図１、２の実施の形態と同様に形成されている。
【００４５】
この実施の形態におけるダンパー部材６は取付部６０と可動部７とから構成されている。図５（ａ）（ｂ）に示すように、取付部６０は断面略逆Ｕ字状のクリップ状に形成されるものであって、ポリプロピレン（ＰＰ）などのポリオレフィン系樹脂、塩化ビニル樹脂、ポリエチレンテレフタレート（ＰＥＴ）、ポリスチレンなどの合成樹脂で形成することができる。また、取付部６０の一方の片の下端には取付部６０の内側空間に突出する突部６３が設けられている。可動部７は取付部６０よりも軟質であって、弾性を有する樹脂材料（ゴムを含む）で形成することができ、例えば、エチレン・プロピレンゴム（ＥＰＤＭ）などの合成ゴム、天然ゴム、ポリオレフィン系エラストマーなどの熱可塑性エラストマー等の材料を用いて形成することができる。特に、熱可塑性エラストマーを用いて可動部７を形成した場合はダンパー部材６に薄肉部８を設けなくても容易に可動部７を上下に回動させることができると共に換気棟部材４に密着しやすくなって水密性を確保することもできる。
【００４６】
このようにダンパー部材６の一部の取付部６０を可動部７よりも硬質に形成することによって、弾性を有する材料でダンパー部材６の全体を形成する場合に比べて、ダンパー部材６の形状を硬質の取付部６０によって保持することができ、長尺のダンパー部材６を固定部材１０に取り付けるにあたって曲がったり歪んだりすることが少なくなり、ダンパー部材６の取り付け作業性を高くすることができる。また、取付部６０と可動部７とを二層押し出し成形により一体的に成形することができ、ダンパー部材６の製造が容易となって製造コストを抑えることができるものである。
【００４７】
固定部材１０には上記と同様に邪魔板９が設けられているが、その上部には支持部９ａが形成されておらず、その代わりに、邪魔板９の上部を軒側に折り返し屈曲して折り返し片６４を形成し、この折り返し片６４の下端を係止部６１として形成している。尚、係止部６１はダンパー部材６の突部６３が係止可能であれば良く、折り返し片６４を形成する代わりに、邪魔板９の軒側面に突起や凹部を設けて形成することができる。
【００４８】
捨て水切り６２は固定部材１０と同様の金属板を屈曲成形して形成されるものであり、差し込み片６６と水切り片６７とで構成されている。
【００４９】
そして、本発明の換気棟を形成するにあたっては、次のようにして行なう。まず、固定部材１０の邪魔板９にダンパー部材６の取付部６０を差し込むことによって、固定部材１０にダンパー部材６を取り付ける。この時、取付部６０の突部６３は邪魔板９の係止部６１に弾性的に係止されるものであり、ダンパー部材６を邪魔板９にワンタッチで取り付けることができる。従って、固定部材１０に対するダンパー部材６の取り付けを簡単に行うことができ、換気棟の製造コストを抑えることができるものである。
【００５０】
上記のようにダンパー部材６を取り付けた後、上記と同様にして固定部材１０に補強金具４０を取り付ける。次に、ダンパー部材６と補強金具４０を取り付けた状態の固定部材１０を上記と同様にして換気棟部材４に取り付ける。このようにして両方の傾斜部１５の両端部（両方の軒側端部）に固定部材１０、ダンパー部材６、補強金具４０を取り付けた後の換気棟部材４を上記と同様にして屋根１の棟部分に配置する。すわなち、上記換気棟部材４はその頂部（一対の傾斜部１５の境界部分）が屋根開口部２の真上に位置するようにして配置され、屋根開口部２の上方を覆うようにして棟木５０の両側の屋根材５３、５３に跨るように配置される。また、換気棟部材４に設けた固定部材１０を屋根材５３及び野地板５２にビス７０で固定することによって、換気棟部材４を屋根１の棟部分の全長に亘って取り付けることができる。
【００５１】
このようにして換気棟部材４の下側の空間、すなわち、傾斜部１５と屋根材５３の間の空間が換気経路５として形成される。この換気経路５の途中にはパーテーション部１１や立設片２２が設けられ、通気孔２５及び間隙２６が形成されているために、屋根開口部２と排気口３は換気経路５を通じて通気可能に形成される。尚、捨て水切り６２は、その差し込み片６６を野地板５２と屋根材５３の間に差し込むことによって取り付けられるものであり、屋根材５３の棟側端部よりも棟側において水切り片６７が立設された状態で配置される。また、野地板５２と屋根材５３の間には防水シート７１が配置されている。
【００５２】
そして、この換気棟であっても図１に示すものと同様の作用により、暴風雨などの所定以上の強風（１５ｍ／ｓ以上の強風）の時にダンパー部材６で換気経路５を閉塞することができる。
【図面の簡単な説明】
【００５３】
【図１】本発明の実施の形態の一例を示し、（ａ）（ｂ）は概略の断面図である。
【図２】同上の分解した断面図である。
【図３】同上の可動部の動作を示し、（ａ）（ｂ）は概略の断面図である。
【図４】同上の他の実施の形態を示す概略の断面図である。
【図５】同上の邪魔板とダンパー部材を示し、（ａ）は邪魔板にダンパー部材を取り付ける前の状態を示す断面図、（ｂ）は邪魔板にダンパー部材を取り付けた状態を示す断面図である。
【図６】従来例を示す断面図である。
【符号の説明】
【００５４】
１  屋根
２  屋根開口部
３  排気口
４  換気棟部材
５  換気経路
６  ダンパー部材
７  可動部
８  薄肉部
９  邪魔板
１０  固定部材
１１  パーテーション部
６０  取付部
６１  係止部
【図１】
2006194066.tif 000003
【図２】
2006194066.tif 000004
【図３】
2006194066.tif 000005
【図４】
2006194066.tif 000006
【図５】
2006194066.tif 000007
【図６】
2006194066.tif 000008